(57)【要約】セッション更新を検出する（またはケースする）ことに応答してセッションの「寿命」を遅らせる、または早めるための方法および装置。「セッション」とは、基地局（１１０）（および基地局（１１０）に結合された他のデバイス／ネットワーク（１１６））とデータを交換するように１つまたは複数の通信チャネルにアクセスする特定のユーザ端末装置の権利を指す。セッション更新とは、セッション寿命の失効／満了を遅らせる（すなわち、セッションのより早期の失効を生じさせる）イベントまたは条件を指す。本実施形態では、セッションは、ユーザ端末装置（１０８）が基地局（１１０）に登録し、したがって、基地局（１１０）とデータを交換するために１つまたは複数の無線通信チャネルにアクセスすること、またはアクセスしようと試みることができる期間を表わす。したがって、セッション「寿命」は、ある時間の長さを表わし、その時間の長さの後、寿命が失効したとき、セッションは終了し、遠隔ユーザ端末装置（１０６／１０２）は、セッションを確立し、ユーザ端末装置（１０２／１０６）と基地局（１１０）の間でデータを交換することができる１つまたは複数の無線通信チャネルにアクセスを得るのに、基地局（１１０）に再登録しなければならない。
2004524756.tif 000002
【特許請求の範囲】
【請求項１】
通信システムにおいて遠隔ユーザ端末装置に利用可能なリソースを通信デバイスが管理する方法であって、
通信デバイスが、第１のセッション時間制限が関連付けられている無線通信セッションを遠隔ユーザ端末装置と確立するステップと、
前記通信デバイスが、セッション更新を検出するステップと、
前記通信デバイスが、前記セッション更新を検出したことに応答して前記第１のセッション時間制限を変更するステップとを含む方法。
【請求項２】
前記セッション更新が、前記遠隔ユーザ端末装置に関連する優先順位状態によって生じさせられる請求項１に記載の方法。
【請求項３】
前記通信が、前記遠隔ユーザ端末装置から前記優先順位状態の指示を受け取る請求項２に記載の方法。
【請求項４】
前記セッション更新が、前記セッション時間制限の失効に先立って前記通信デバイスが、前記遠隔ユーザ端末装置と前記基地局の間のアクティブなデータ交換を検出することによって生じさせられる請求項１に記載の方法。
【請求項５】
前記第１のセッション時間制限と前記第２の時間制限の期間が等しい請求項１に記載の方法。
【請求項６】
前記通信デバイスが前記遠隔ユーザ端末装置から前記セッション更新を受け取る請求項１に記載の方法。
【請求項７】
前記セッション更新が、前記通信デバイスによって生成される請求項１に記載の方法。
【請求項８】
通信デバイスが、第１のセッション時間制限が関連付けられているセッションを遠隔ユーザ端末装置に提供するステップと、
前記第１のセッション制限時間が失効したとき、前記通信デバイスが、セッション更新が生成されているかどうかを判定するステップと、
前記通信デバイスが、セッション更新が生成されていると判定した場合、第２のセッション制限時間にわたって前記セッションを再び更新し、セッション更新が生成されていないと判定した場合、前記セッションを終了させるステップとを含む通信システムにおける方法。
【請求項９】
前記セッション更新を、前記遠隔ユーザ端末装置に関連する優先順位状態によって生じさせる請求項８に記載の方法。
【請求項１０】
前記通信が、前記遠隔ユーザ端末装置から前記優先順位状態の指示を受け取る請求項９に記載の方法。
【請求項１１】
前記セッション時間制限が失効したときに、前記通信デバイスが、前記遠隔ユーザ端末装置と前記通信デバイスに結合されたデータ網との間のアクティブなデータ交換を検出することによって前記セッション更新が生じる請求項８に記載の方法。
【請求項１２】
前記第１のセッション時間制限と前記第２の時間制限の期間が等しい請求項８に記載の方法。
【請求項１３】
前記通信デバイスが前記遠隔ユーザ端末装置から前記セッション更新を受け取る請求項８に記載の方法。
【請求項１４】
前記通信デバイスが前記セッション更新を生成する請求項８に記載の方法。
【請求項１５】
外部デバイスがデータを交換するために無線通信チャネルにアクセスすることができることを特徴とする前記外部デバイスとの通信セッションに時間制限を与えるためのセッション寿命手段と、
所定の条件に応答して前記時間制限を変更するためのセッション管理手段とを含む無線通信システムにおいて通信チャネルを管理する装置。
【請求項１６】
前記セッション寿命手段が、前記時間制限の失効を示す計時機構を含む請求項１５に記載の装置。
【請求項１７】
前記セッション管理手段が、前記所定の条件に応答して前記時間制限を遅らせる、または延長するように前記計時機構に結合される請求項１６に記載の装置。
【請求項１８】
前記所定の条件が、データ交換のための前記外部エンティティによって利用される少なくとも第１のチャネルの検出を含む請求項１５に記載の装置。
【請求項１９】
前記所定の条件が、ネットワーク輻輳の検出を含む請求項１５に記載の装置。
【請求項２０】
ネットワーク輻輳が、進行中のセッションの数で少なくとも部分的に特徴づけられる請求項１９に記載の装置。
【請求項２１】
ネットワーク輻輳が、アクティブであるチャネルの数で少なくとも部分的に特徴づけられる請求項１９に記載の装置。
【請求項２２】
前記所定の条件が、前記外部エンティティから受け取られたメッセージによって生じさせられる請求項１５に記載の装置。
【請求項２３】
前記所定の条件が、前記セッション管理手段によって生成されたイベントによって生じさせられる請求項１５に記載の装置。
【請求項２４】
前記時間制限が、前記外部エンティティのサービス品質パラメータによって決定される請求項１５に記載の装置。
【請求項２５】
前記外部エンティティおよび外部データ網とデータを交換するための手段をさらに含む請求項１５に記載の装置。
【発明の詳細な説明】
【技術分野】
【０００１】
本発明は、無線通信システムの分野に関し、より詳細には、所定の条件／イベントに応答して無線システムにおけるセッションの寿命を変更する（遅らせる、または早める）ことによって無線データ通信システムにおいてリソースを管理するための方法およびシステムに関する。
【背景技術】
【０００２】
無線通信システムは、ブロードバンド・サービスを含め、インターネットサービスおよびその他のデータ・サービスに対する可搬型無線アクセスなどの拡張されたデータ・サービスを無線ユーザに提供するように発展している。ただし、そのようなシステムのユーザの数が増加するにつれ、リソースの数、詳細には、利用可能な通信チャネルの数がますます不足する。例えば、モバイル無線通信システムでは、特定の基地局が、所与の地理的区域における遠隔のモバイル・ユーザ端末装置または静止ユーザ端末装置とデータまたは音声情報を交換することをサポートすることができる無線通信チャネルの数（例えば、周波数チャネル、時間チャネル、空間チャネル、および／または符号チャネル）の数が、有限であり、限られている。このため、すべてのユーザが、例えば、同時にデータ交換セッションを開始するために無線通信のリソースにアクセスした場合、過度の競合が生じ、ネットワークの非効率（例えば、浪費される帯域幅）、比較的低いユーザ当たりの帯域幅、および／または比較的高いユーザ当たりの待ち時間がもたらされる可能性がある。
【発明の開示】
【発明が解決しようとする課題】
【０００３】
したがって、無線通信に利用できるチャネルなどのリソースの管理を可能にする方法および装置を提供して、従来のシステムの前述した欠点およびその他の欠点を防止することが望ましい。
【課題を解決するための手段】
【０００４】
本発明は、ユーザ端末装置と基地局の間で（通常は）有限時間のセッションを確立し、次に、そのセッションの「寿命」を遅らせるまたは早めるための方法および装置を提供する。一実施態様では、セッションには、セッション寿命が関連しており、このセッション寿命が失効したときに、セッション更新がなければ、セッションが終了する。ただし、セッション更新が検出された場合、セッション寿命を遅らせられるか、または早める。
【発明を実施するための最良の形態】
【０００５】
本発明は、無線通信システムにおいてリソースを管理する方法および装置を提供する。一実施形態では、リソース管理は、「セッション更新」、すなわち、セッション寿命の失効／満了を遅らせる（すなわち、寿命を延長する）イベントまたは条件を検出したとき、あるいは逆に、セッション寿命の失効を早くする（すなわち、セッションをより早く失効させる）イベントまたは条件を検出したとき、「セッション」の「寿命」を延長する、または短縮する方法および装置を提供することによって円滑にされる。本明細書で使用する「セッション」とは、基地局（および基地局に結合されたその他のデバイス／ネットワーク）との無線リンクに対してデータを交換するように１つまたは複数の（無線）通信チャネルにアクセスする特定のユーザ端末装置の権利または能力を指す。そのようなチャネルは、ユーザ端末装置と基地局の間の無線通信のために利用される特定の時間チャネル、周波数チャネル、符号チャネル、または空間チャネルなどを意味している。一実施形態では、セッションは、ユーザ端末装置が基地局に登録して、したがって、基地局とデータを交換するように１つまたは複数のチャネルにアクセスすることができる期間を表わす。したがって、セッション「寿命」は、ある時間の長さを表わし、この時間の長さの後、寿命が失効すると、通常、セッションは終了し、遠隔ユーザ端末装置は、セッションを確立してユーザ端末装置と基地局の間でデータを交換することができる１つまたは複数の無線通信チャネルにアクセスを得るのに、基地局に再登録しなければならない。
【０００６】
セッション寿命は、固定長タイマ、可変長タイマ、ランダム長タイマ、またはその他の長さのタイマなどの計時機構を使用して、登録時、および／または後の他の時点で設定し、監視することができる。そのような計時機構は、一実施形態では、ユーザ端末装置と基地局の両方に含まれており、ユーザ端末装置の計時機構と基地局の計時機構がともに、それぞれのデバイスにセッション寿命の失効を知らせるように同期される。別の実施形態では、基地局に計時機構を用意せず、または基地局に計時機構を用意すると共に、セッション・アドミニストレータ（例えば、コンピュータ・システム）に計時機構を含め、ユーザ端末装置には、計時機構を含めても含めなくてもよい。そのようなセッション・アドミニストレータを基地局（またはいくつかの基地局）に結合することができる。説明する実施形態では、ユーザ端末装置と基地局（または他のセッション・アドミニストレータ）がともに計時機構を含み、そのような計時機構が、セッション寿命に関する情報（例えば、寿命の開始、更新、および失効）をユーザ端末装置と基地局にそれぞれ提供するように同期されるが、代替の実施形態では、基地局だけ、またはユーザ端末装置だけが、計時機構を含んでいてもよい。
【０００７】
一実施形態では、遠隔ユーザ端末装置が基地局に登録すると、ユーザ端末装置の計時機構によって監視されるセッション寿命またはセッション有効期限を伴ってセッションが開始し、ユーザ端末装置の計時機構は、一実施形態では、基地局の計時機構と、または基地局に結合された別のセッション・アドミニストレータの計時機構と同期される。そのような計時機構は、セッション寿命の失効、および結果のセッション終了を知らせる。
【０００８】
本発明の一実施形態によれば、セッションは、セッション更新が検出されない限り（計時機構を含むことも、含まないことも可能である基地局、他のセッション・アドミニストレータ、および／またはユーザ端末装置によって）、計時機構によって示されるセッション寿命の失効時に終了する。セッション更新が検出された場合、セッション寿命は、別の期間にわたって再び有効にされ、その期間は、元のセッション寿命に等しいことも、あるいは元の寿命より長くても、または短くてもよい。一実施形態では、セッション更新が検出されると、セッション寿命を監視する（基地局の、セッション・アドミニストレータの、またはユーザ端末装置の）計時機構が停止する、延長される、短縮される、リセットされること等が行われて、セッション寿命の失効が遅らされる、すなわち延長される。このため、所与の期間中（例えば、失効セッション寿命）アイドルであったセッションを終了させ、これにより、他のセッションによる使用のために無線通信チャネルに対するアクセス権を開放することによって、限られたリソース、特に無線通信システムの限られたリソースに関連する競合、待ち時間、帯域幅、およびその他の制限が縮小される。基地局が同時にアイドルに、またはアクティブにしておくことができるアクティブなチャネルおよび／またはアクティブなセッションの数が多い無線システムでは、本発明は、一態様によれば、チャネル／セッション管理を可能にする動的なセッションを提供する。
【０００９】
以下の説明では、本発明、および本発明の様々な実施形態の十分な理解をもたらすように多数の特定の詳細を提示する。ただし、本発明は、それらの特定の詳細なしに実施できることを理解されたい。その他、周知の回路、周知の構造、および周知の技術は、本発明を不明瞭にするのを避けるために詳細に示していない。本発明の様々な要素は、ハードウェア（例えば、回路）で、ソフトウェア（例えば、マシン実行可能命令）で、またはハードウェアとソフトウェアの組合せで実施できることにさらに留意されたい。さらに、複数の汎用プロセッサおよび／またはデジタル信号処理（ＤＳＰ）プロセッサが、本発明の基地局またはユーザ端末装置によって使用されることが可能である。
【００１０】
本発明の一実施形態では、基地局によって制御される各チャネルが、次の４つの状態のどれかで存在することが可能である。すなわち、要求中、アイドル、アクティブ、または閉鎖である。データは、アクティブな状態のチャネルを介して送られる。この実施形態では、ユーザ端末装置が、最初、基地局に登録し、基地局によってゼロまたはいくつかのチャネルが割り当てられて、セッションが開始する。最初、基地局は、チャネルをアイドル状態にする。登録が行われた際、基地局およびユーザ端末装置が、セッションを計時するようにそれぞれのセッション計時機構を設定し、前述したとおり、セッション寿命計時機構がリセットされるか、即座にまたは比較的より早期に失効させられるか、停止させられるか、かつ／または延長されない限り、寿命の失効（およびセッションの終了）を示す。
【００１１】
一実施形態では、セッション寿命は、登録に先立ってユーザ端末装置および基地局（または他のセッション・アドミニストレータ）に知られている。つまり、例えば、セッション寿命が、各デバイスの計時機構にハードコードとして、またはソフトコードとして組み込まれている。計時機構は、ソフトウェア対応またはハードウェア対応のカウントアップ・タイマまたはカウントダウン・タイマでよい。代替の実施形態では、セッション寿命を、登録中、または登録後に、無線メッセージ交換を使用してユーザ端末装置と基地局の間で通信することができ、したがって、動的に変更することが可能である。例えば、計時機構構成、および寿命の長さは、登録に、例えば、特定のユーザ端末装置の優先順位／サービス品質（ＱＯＳ）要件、ネットワーク輻輳、無線通信チャネルの可用性／割振り、「アクティブな」セッションの数などのいくつかの基準に基づき、基地局によって決めることが可能である。一実施形態では、ユーザ端末装置が、ユーザ端末装置に電源が投入されている間、定期的に（セッション寿命より短い間隔で）、セッション更新、またはセッション更新の指示を基地局に送る。このため、この実施形態では、ユーザ端末装置のセッションは、ユーザ端末装置に電源が投入されている限り（またはユーザ端末装置の基地局への最初の登録の後）、継続することが可能である。そのような定期的更新ができるユーザ端末装置（例えば、高い優先順位／ＱＯＳ要件等を有するユーザ端末装置）を、例えば、基地局や他のセッション・アドミニストレータに選択させることが可能である。
【００１２】
ユーザ端末装置が、ゼロまたはいくつかのチャネルがユーザ端末装置に割り当てられる特定の基地局に登録するステップを行うと、セッションが開始し、セッション寿命計時機構が起動する。一実施形態では、セッション寿命の長さはユーザ端末装置および基地局によって知られている。例えば、すべてのユーザ端末装置が、同一の寿命を利用すること、すなわち基地局（または他のセッション・アドミニストレータ）およびユーザ端末装置に符号として組み込まれる同一の寿命を割り当てられることが可能である。他方、代替の実施形態では、登録時に、または登録後に、前述した基準のような１つまたは複数の基準に基づいて動的に寿命を設定することが可能である。同様に、ユーザ端末装置が利用することができるチャネルについても、電源投入前に、または登録前にユーザ端末装置に知られていてもよく、あるいは電源投入後に（例えば、登録前、登録中、または登録後に）、基地局とユーザ端末装置の間の構成メッセージ、またはその他のメッセージの交換でユーザ端末装置に伝えられるようにしてもよい。
【００１３】
登録に続き、ユーザ端末装置が基地局（および基地局に結合されたデバイス／ネットワーク）とデータを交換する際、ユーザ端末装置は、自らが利用することができ、アイドル状態（例えば、ユーザ端末装置の状態マシンによって示される）にあるようなチャネルを見つけ出し、そのチャネルを要求中状態に移す。したがって、ユーザ端末装置は、「アクティブなチャネル」要求を基地局に伝送する。
【００１４】
この要求に応答して、基地局は、そのチャネルが実際にアイドル状態にあるか、または別のユーザ端末装置またはセッションによって使用中である（またはそれ以外で、要求側のユーザ端末装置には利用できない）かを判定し、基地局の状態マシンが示すところにより、チャネルがアイドル状態にある場合、基地局は、そのチャネルをアクティブな状態に移し、ユーザ端末装置に通知し、ユーザ端末装置も、そのチャネルをアクティブな状態にする。一実施形態では、基地局は、アクティブ・チャネル要求に応答して、そのチャネルがアイドル状態にない、またはそれ以外で利用できないと判定した場合、ユーザ端末装置に通知を行わず、ユーザ端末装置は、所定の時間の後、別のチャネルのアクティブ・チャネル要求を行うことを試みる。そのプロセスは、基地局がアクティブなチャネルを特定するまで繰り返される。別の実施形態では、ユーザ端末装置と基地局がともにアクティブな状態の１つまたは複数のチャネルを有するようになるまで、基地局は、アクティブ・チャネル要求に応答してアイドル状態の別のチャネルを単に探し、そのチャネルについてユーザ端末装置に通知する。
【００１５】
次に、基地局は、チャネルがアクティブな状態にあり、以降、データ交換を行うことができることをユーザ端末装置に知らせる確認応答をユーザ端末装置に送る。本発明の一実施形態では、基地局によるアクティブなチャネル状態への遷移がセッション更新として作用し、セッション寿命の時間経過を監視する基地局のセッション寿命計時機構（およびユーザ端末装置のセッション寿命計時機構）を停止させるか、延長するか、遅らせるか、またはリセットする。一実施形態では、寿命計時機構のリセットは、アクティブなチャネルがアイドル状態に遷移するまで、１回または複数回、繰り返されることが可能である。別の実施形態では、セッション計時機構は、アクティブなチャネル状態への遷移によって単に停止させられるか、または休止させられ、次に、ユーザ端末装置と基地局の間におけるデータ交換の完了後、チャネル状態がアイドルに遷移した後に再開される。
【００１６】
一実施形態では、基地局は、ユーザ端末装置がデータを送る、または受け取るのを止めたとき、それを検知し、その後、伝送される必要がある可能性がある追加のデータを見込むように、そのチャネルを比較的短い期間、例えば、一実施形態では、３フレーム、または１５ミリ秒の間、アクティブに保持する。次に、基地局は、チャネルを閉鎖状態に移し、「クリーンアップ」オペレーションを行った後、チャネルをアイドル状態（チャネルが、他のセッションおよび／または他のユーザ端末装置に利用可能であることが可能な）に移し、この時点で、寿命タイマが再スタートされ（停止されている、または休止されている場合）、および／または元の寿命または異なる寿命にリセットされることが可能である。以降、寿命の失効／満了までに全く更新イベントが検出されなかった場合、セッションは、終了し、ユーザ端末装置は、アイドルなチャネルにアクセスする権利を失う。したがって、一実施形態では、アイドルからアクティブへのチャネル状態の遷移は、セッション寿命を停止させる、リセットする、延長する、またはそれ以外で遅らせるセッション更新として作用する。同様に、一実施形態では、アクティブからアイドルに戻るチャネル状態の遷移は、そのチャネルがそのセッションに関してそのような遷移を行う最後のチャネル、または唯一のチャネルであるものと想定すると、セッション寿命再開／リセットとして作用する。すなわち、セッションに関してさらなるチャネルが依然としてアクティブである場合、チャネル状態は、停止されたままになり、したがって、セッション寿命は、停止されたままになる（またはそれ以外で遅らされる）。
【００１７】
アイドルなチャネル状態からアクティブなチャネル状態への遷移を１つのタイプのセッション更新として、すなわち、セッション寿命の失効を遅らせる、または早めることを生じさせるイベントまたは条件として、前述の実施形態では説明したが、他のセッション更新イベントも、登録時に、または登録後に生じること、または検出されることが可能である。例えば、一実施形態では、サービス品質（ＱＯＳ）が、セッション寿命の時間の長さを示し、またその寿命を遅らせる／延長することが可能であるかどうか、どれだけ長く（かつ／またはどれだけの回数）遅らせる／延長することが可能であるかも示す基準として使用される。このため、特定のユーザ端末装置が高い優先順位を有するユーザ端末装置として指定されている場合、そのユーザ端末装置には、登録時に、その他のユーザ端末装置と比べて、より長いセッション寿命、または無制限のセッション寿命さえ与えられることが可能である。例えば、基地局、または基地局に結合された他のセッション・アドミニストレータが、ユーザ端末装置のＱＯＳパラメータを示し、したがって、セッション寿命の長さを示すそのユーザ端末装置（およびその他のユーザ端末装置）に関する情報を記憶することが可能である。このため、基地局は、異なるユーザ端末装置に異なるセッション寿命を割り当てることができ、そのような寿命は、一部のケースでは、無制限であることさえ可能である。
【００１８】
同様に、一実施形態では、基地局（または他のセッション・アドミニストレータ）は、無線リソースに基づいてセッション寿命を動的に延長することができ（例えば、所定の数のチャネルより多くがアイドルであるか、または所定の数より少ないセッションが存在しているか、または特定の時間帯である場合）、また同様に、セッション寿命を動的に短縮することができる（例えば、所定の数より少ないチャネルがアイドルであるか、または所定の数より多くのセッションが存在しているか、または特定の時間帯である場合）。さらに、基地局（またはユーザ端末装置）は、あるイベントまたはある条件（例えば、余りにも多くのセッションが同時にアイドルであるかアクティブである、ネットワーク・アドミニストレータからの命令あるいはその他のイベントまたは条件）に応答して、セッション寿命の即時の失効を生じさせること、またはそれ以外でセッションを終了させることができる。
【００１９】
一実施形態では、複数のセッションが１つのユーザ端末装置上に同時に存在して、基地局との無線データ交換を容易にすることが可能である。一実施形態では、そのようなセッションは、ポイントツーポイント・プロトコル（ＰＰＰ）およびインターネット・プロトコル（例えば、ＴＣＰ／ＩＰ）、またはその他のデータ・ネットワーキング・プロトコルを利用して、ユーザ端末装置が、基地局と確立された無線リンク／セッションに対するデータ網（例えば、インターネットおよびＷｏｒｌｄ  Ｗｉｄｅ  Ｗｅｂ）とデータを交換することを可能にする。さらに、セッションは、複数の無線通信チャネルを利用することができ、そのようなチャネルは、一実施形態では、基地局および／またはユーザ端末装置においてスマート・アンテナ処理を使用して、２つまたはそれより多くのユーザ端末装置の間で共用されることが可能である。そのような共用チャネルは、一実施形態では、基地局およびユーザ端末装置によって２つの論理チャネルと見なされる。
【００２０】
図１は、本発明の一実施形態による無線システムを示すブロック図である。図１では、システム１００が示されており、システム１００内部で、遠隔ユーザ端末装置１０２、１０６などのいくつかの遠隔ユーザ端末装置が、それぞれ、無線ＲＦリンク１１４、１１２を介して基地局１１０とデータを交換することができ、基地局１１０は、外部データ網（例えば、インターネット）、および遠隔ユーザ端末装置１０２、１０６とのそのようなデータ交換を円滑にする。一実施形態では、基地局１１０は、セルラー・システムにおけるいくつかの基地局の１つである。基地局１１０は、一実施形態では、アンテナ・アレイ、ならびにハードウェアおよびソフトウェアを使用して、スマート・アンテナ処理を提供する。そのような基地局は、一実施形態では、ユーザ端末装置１０２、１０６が、同一の時間チャネル、周波数チャネル、および／または符号チャネルを同時に利用して基地局１１０からデータ（または音声情報）を受信すること、または基地局１１０にデータ（または音声情報）を送信することができる空間チャネル、および空間分割多重アクセス（ＳＤＭＡ）技術も使用することができる。代替の実施形態では、基地局１１０は、必ずしもスマート・アンテナ処理または空間チャネルを利用しなくてもよい。さらに、ユーザ端末装置も、アンテナ・アレイ、およびスマート・アンテナ、または空間処理を使用することが可能である。
【００２１】
図では、ユーザ端末装置１０２、１０６は、それぞれ、コンピューティング・デバイス１０４、１０８に結合されている。このため、ユーザ端末装置１０２、１０６は、無線モデムでもよく、またはラップトップ・コンピュータ、パーソナル・デジタル・アシスタント（ＰＤＡ）、ゲーム・デバイス、または可搬であることが可能なその他のデータ処理機器が、基地局１１０を介してデータ網１１６とデータを交換することを可能にする他のタイプの送受信を行うハードウェアおよびソフトウェアでもよい。例えば、ユーザ端末装置１０２は、コンピューティング・デバイス１０４とインターネット・サービス・プロバイダ（ＩＳＰ）の間で情報を交換するＲＦリンク１１４（および対応するセッション）を基地局と確立して、これにより、Ｗｏｒｌｄ  Ｗｉｄｅ  Ｗｅｂ、イントラネット、仮想プライベート・ネットワーク（ＶＰＮ）、またはその他のデータ網に対してアクセスすることができる。
【００２２】
本明細書で使用する「基地局」は、いくつかの遠隔ユーザ端末装置と通信して、そのようなユーザ端末装置と、基地局に結合されたデータ網の間における情報の転送を円滑にすることができる１つまたは複数のデバイスを指す。基地局は、モバイル電話交換局（ＭＴＳＯ）、データ網交換機器、経路指定機器、管理機器、および／またはトンネリング機器、セッション・アドミニストレータ、その他の基地局、あるいは少なくとも遠隔ユーザ端末装置と基地局の間における無線リンクに対して１つまたは複数の遠隔ユーザ端末装置とデータ網の間で情報の交換を円滑にすることができるその他のデバイスなどの、図１に示していない１つまたは複数のデバイスと連携して動作することができる。本発明は、ユーザ端末装置と基地局の間の無線ＲＦリンクに関して説明しているが、基地局は、そのような他のデバイスに結合され、最終的に、ハードワイヤード・リンクおよび／または無線リンクを介してデータ網に結合される。
【００２３】
図２は、本発明の一実施形態によるセッション更新を利用する無線通信においてリソース管理を提供するための方法を示す流れ図である。図２では、ユーザ（例えば、遠隔ユーザ端末装置に対する）が、ブロック２００で、基地局に登録する。一実施形態では、登録は、例えば、本出願の譲受人に譲渡され、参照による本明細書に組み込まれている２０００年９月２９日に出願した「ＲＡＤＩＯ  ＣＯＭＭＵＮＩＣＡＴＩＯＮＳ  ＳＹＳＴＥＭ  ＷＩＴＨ  Ａ  ＭＩＮＩＭＡＬ  ＢＲＯＡＤＣＡＳＴ  ＣＨＡＮＮＥＬ」という名称の米国特許出願番号０９／６７５，７４８に記載されるとおり、ユーザ端末装置と基地局の間における一連の交換およびメッセージの結果として行われる。ただし、代替の実施形態では、登録およびセッション開始は、他のメッセージ交換プロトコルに従って行われることが可能であり、したがって、本発明は、様々な無線システム・アーキテクチャにおいて利用することができる。
【００２４】
ブロック２０２で、セッションが、関連するセッション寿命を有して開始する。基地局（または基地局と通信する他のセッション・アドミニストレータ）が、セッション寿命およびセッション寿命の失効を監視する計時機構を含む。周知の計時／カウント機構の任意の１つ、または組合せを利用して計時機構を実現することができる。一実施形態では、固定長または可変長のソフトウェアで実現されるカウンタが、基地局およびユーザ端末装置によって計時機構として利用される。
【００２５】
ブロック２０４で、セッション更新が検出されたかどうかが判定される。例えば、アイドルからアクティブへのチャネル状態遷移が生じたかどうか。
【００２６】
セッション更新が検出された場合、ブロック２０６で、セッション寿命が更新され（例えば、休止される、リセットされる、延長される等）、要するに、セッション寿命が延長されて（または、一部の場合、短縮されて）、流れは、ブロック２０４に戻る。
【００２７】
ブロック２０４でセッション更新が検出された場合、ブロック２０８で、セッション寿命が失効していない場合、流れは、ブロック２０４に戻る。検出されなかった場合、セッションは、ブロック２１０で終了し、その時点で、ユーザ端末装置は、そのセッションに関連するアイドルなチャネルに対するアクセスの権利を有さない。
【００２８】
図３は、本発明の代替の実施形態によるセッション更新を利用する無線通信においてリソースを管理するための方法を示す流れ図である。
【００２９】
ブロック３００で、ユーザが基地局に登録する。
【００３０】
ブロック３０２で、セッションが開始し、寿命を「割り当て」られる。寿命は、予め決めておいても良く（例えば、基地局および／またはユーザ端末装置に符号として組み込まれている）、あるいは、基地局または他のセッション・アドミニストレータが、例えば、前述したような基準の任意の１つまたは組合せに基づいて決めることができるようになっている、すなわち動的であってもよい。
【００３１】
ブロック３０２で、セッション寿命が失効する。
【００３２】
ただし、この実施形態では、セッション寿命が失効した時点でセッションを終了させる前に、ブロック３０４で、基地局（または他のセッション・アドミニストレータ）が、セッション更新が検出されている（また、例えば、待ち行列に入れられている）かどうか、かつ／または例えば、可用なチャネルの豊富さ、ユーザ端末装置に関連する高い優先順位／ＱＯＳ等の理由で、基地局またはセッション・アドミニストレータがセッション更新を生じさせるべきかどうかを判定する。
【００３３】
セッション更新が検出された、または生じさせるべきである場合、ブロック３０６で、セッション寿命が更新され（例えば、延長され、あるいは同じ長さ、または異なる長さでリセットされ）、流れは、ブロック３０４に戻る。
【００３４】
ブロック３０４で、セッション更新が検出されない、または生じさせられない場合、セッションは、ブロック３０８で終了する。
【００３５】
図４は、本発明の一実施形態による動的なセッション更新を利用する無線通信システムにおけるリソース管理のための方法およびシステムを示す図である。図４に示すとおり、時間経過は下向き方向で描かれており、ユーザ端末装置および／またはセッション・アドミニストレータ（例えば、基地局、または基地局に結合された他のデバイス）がセッション更新を生じさせることができる。
【００３６】
ハードウェアの概要
本発明は、基地局、モバイル・ユーザ端末装置または静止ユーザ端末装置、およびシステム全体が、様々なハードウェア／ソフトウェア構成を有することが可能な様々な無線システムにおいて、または有線システムにおいても有用であり、したがって、実施されることが可能であるが、図５〜７は、本発明の１つまたは複数の実施形態に従って本発明の方法および装置を使用することができる通信デバイスのための例示的なアーキテクチャを描いている。
【００３７】
本発明は、無線通信システムに関連し、空間分割多重アクセス（ＳＤＭＡ）技術を、時間分割多重アクセス（ＴＤＭＡ）、周波数分割多重アクセス（ＦＤＭＡ）、および符号分割多重アクセス（ＣＤＭＡ）などの多重アクセス・システムとの組合せで使用する固定アクセスまたはモバイル・アクセスの無線網である。多重アクセスは、周波数分割デュプレックス化（ＦＤＤ）または時間分割デュプレックス化（ＴＤＤ）と組み合わせることができる。
【００３８】
図５は、本発明の一実施形態による本発明を実施するのに適した無線通信システムまたは無線通信網の基地局の例を示している。このシステムまたはネットワークは、図６に示すような、遠隔端末装置またはユーザ端末装置とも呼ばれるいくつかの加入者局を含む。基地局は、必要とされるデータ・サービス、および直接の無線システムの外部へ接続するためにホストＤＳＰ２３１を介してワイド・エリア・ネットワーク（ＷＡＮ）に接続されることが可能である。空間ダイバーシチをサポートするため、複数のアンテナ１０３、例えば、４つのアンテナが使用される。ただし、別の数のアンテナを選択してもよい。
【００３９】
アンテナの出力は、このＴＤＤシステムにおいては、時間スイッチであるデュプレクサ（送受切換器）・スイッチ１０７に接続される。スイッチ１０７の２つの可能な実施形態は、周波数分割デュプレックス（ＦＤＤ）システムにおける周波数デュプレクサとして、および時間分割デュプレックス（ＴＤＤ）システムにおける時間スイッチとしてである。受信する際、アンテナ出力は、スイッチ１０７を介して受信機２０５に接続され、ＲＦ受信機（「ＲＸ」）モジュール２０５によって搬送周波数からアナログでミックスダウンされてＦＭ中間周波数（「ＩＦ」）になる。この信号が、次に、アナログ−デジタル変換器（「ＡＤＣ」）２０９によってデジタル化（サンプリング）される。最終のベースバンドへのダウンコンバートは、デジタル式に行われる。ダウンコンバートは、有限インパルス応答（ＦＩＲ）ろ波技術を使用して行うことができる。これをブロック２１３として示している。本発明は、多種多様なＲＦおよびＩＦの搬送周波数および帯域に合うように適応させることができる。
【００４０】
この例では、受信タイムスロット当たり１つの、各アンテナのデジタル・フィルタ・デバイス２１３からの４つのダウンコンバートされた出力が存在する。タイムスロットの特定の数は、ネットワークのニーズに合うように変えることができる。この例は、各ＴＤＤフレームごとに４つのアップリンク・タイムスロットと４つのダウンリンク・タイムスロットを使用しているが、一実施形態は、各フレーム内にアップリンクおよびダウンリンク用の３つのタイムスロットを使用する。図５に描いた実施形態を参照すると、本発明の一態様により、４つの受信タイムスロットのそれぞれに関して、４つのアンテナからの４つのダウンコンバートされた出力が、較正を含むさらなる処理のためにデジタル信号プロセッサ（ＤＳＰ）デバイス２１７（以後「タイムスロット・プロセッサ」）に送り込まれる。受信タイムスロット当たり１つの、４つのＭｏｔｏｒｏｌａ  ＤＳＰ５６３１１  ＤＳＰをタイムスロット・プロセッサとして使用することができる。タイムスロット・プロセッサ２１７は、受信信号電力を監視し、周波数オフセットおよび時間アラインメントを推定する。また、タイムスロット・プロセッサ２１７は、各アンテナ素子に関してスマート・アンテナの重みを決定することも行う。この重みは、空間分割多重アクセス・スキームにおいて、特定の遠隔ユーザからの信号を特定し、その特定された信号を復調するのに使用される。
【００４１】
タイムスロット・プロセッサ２１７の出力は、４つの受信タイムスロットのそれぞれに関する復調されたバースト・データである。このデータは、主な機能が、より高いレベルの処理でシステムおよびインターフェースのすべての要素を制御するホストＤＳＰプロセッサ２３１に送られる。より高いレベルの処理とは、システムの通信プロトコルにおいて定義されるすべての異なる制御チャネルおよびサービス通信チャネルにおいて、どのような信号が通信に必要とされるかを扱う処理である。ホストＤＳＰ２３１は、Ｍｏｔｏｒｏｌａ  ＤＳＰ５６３０３でよい。さらに、タイムスロット・プロセッサは、各ユーザ端末装置に関する特定された受信の重みをホストＤＳＰ２３１に送る。ホストＤＳＰ２３１は、状態情報および計時情報を保持し、タイムスロット・プロセッサ２１７からアップリンク・バースト・データを受け取り、タイムスロット・プロセッサ２１７をプログラミングする。さらに、ホストＤＳＰ２３１は、暗号化解除を行い、スクランブル解除を行い、誤り検出符号を検査し、アップリンク信号のバーストを分解した後、基地局の他の部分におけるより高いレベルの処理のために送られるアップリンク信号をフォーマットする。基地局のその他の部分に関して、ホストＤＳＰ２３１は、基地局におけるさらに高い処理のためにサービス・データおよびトラフィック・データをフォーマットし、基地局のその他の部分からダウンリンク・メッセージおよびトラフィック・データを受け取り、ダウンリンク・バーストを処理し、ダウンリンク・バーストをフォーマットして、２３７として示される送信コントローラ／変調器に送る。また、ホストＤＳＰは、送信コントローラ／変調器２３７、および２３３として示されるＲＦ計時コントローラを含む基地局の他の構成要素のプログラミングを管理することも行う。
【００４２】
ＲＦ計時コントローラ２３３は、ブロック２４５として示されるＲＦシステムとインターフェースをとり、またＲＦシステムとモデムの両方によって使用されるいくつかの計時信号を生成することも行う。ＲＦコントローラ２３３は、電力監視値および制御値の読取りおよび伝送を行い、デュプレクサ１０７を制御し、ホストＤＳＰ２３１から各バーストに関する計時パラメータおよび他の設定を受け取る。
【００４３】
送信コントローラ／変調器２３７は、１回に４つのシンボルで、ホストＤＳＰ２３１から送信データを受け取る。送信コントローラは、このデータを使用して、ＲＦ送信機（ＴＸ）モジュール２４５に送られるアナログＩＦ出力を生成する。具体的には、受け取られたデータ・ビットが、複素変調信号に変換され、ＩＦ周波数にアップコンバートされ、４倍のオーバーサンプリングが行われ、ホストＤＳＰ２３１から得られた送信の重みが掛けられ、送信コントローラ／変調器２３７の一部であるデジタル−アナログ変換器（「ＤＡＣ」）を介してアナログ送信波形に変換される。アナログ波形は、送信モジュール２４５に送られる。送信モジュール２４５は、その信号を送信周波数にアップコンバートし、その信号を増幅する。増幅された送信信号出力は、デュプレクサ／時間スイッチ１０７を介してアンテナ１０３に送られる。
【００４４】
図６は、本発明の一実施形態によるデータ通信または音声通信を提供するユーザ端末装置における例示的な構成要素の構成を描いている。ユーザ端末装置のアンテナ５４５は、デュプレクサ５４６に接続されて、アンテナ５４５を送信と受信の両方に使用できるようにしている。アンテナは、全方向性でも指向性でもよい。最適のパフォーマンスのため、アンテナは、複数の素子から構成され、基地局に関して前述したとおり、空間処理を採用することが可能である。代替の実施形態では、別々の受信アンテナと送信アンテナが使用されて、デュプレクサ５４６の必要性がなくなる。時間分割デュプレックスが使用される別の代替の実施形態では、当技術分野で周知のとおり、デュプレクサの代わりに送信／受信（ＴＲ）スイッチを使用することができる。デュプレクサの出力５４７は、受信機５４８に対する入力の役割をする。受信機５４８は、復調器５５１に対する入力であるダウンコンバートされた信号５４９を生成する。復調された受信サウンド信号または音声信号５６７が、スピーカ５６６に入力される。
【００４５】
ユーザ端末装置は、送信されるべきデータまたは音声が、変調器５５７において変調される対応する送信チェーンを有する。変調器５５７によって出力された送信されるべき変調された信号５５９は、送信機５６０によってアップコンバートされ、増幅されて、送信機出力信号５６１が生成される。次に、送信機出力５６１は、アンテナ５４５による送信のためにデュプレクサ５４６に入力される。
【００４６】
復調された受信データ５５２が、復調前の受信データ５５０の場合と同様に、ユーザ端末装置の中央処理装置６８（ＣＰＵ）に供給される。ユーザ端末装置のＣＰＵ５６８は、Ｍｏｔｏｒｏｌａシリーズ５６３００ＤＳＰなどの標準のＤＳＰ（デジタル信号プロセッサ）デバイスを使用して実装することができる。このＤＳＰは、復調器５１の機能および変調器５５７の機能も行うことができる。ユーザ端末装置のＣＰＵ５６８は、ライン５６３を介して受信機を制御し、ライン５６２を介して送信機を制御し、ライン５２を介して復調器を制御し、ライン５５８を介して変調器を制御する。また、ＣＰＵ５６８は、ライン５５４を介してキーボード５５３と通信し、ライン５５５を介してディスプレイ５５６と通信する。マイクロホン５６４およびスピーカ５６６が、音声通信ユーザ端末装置のために、それぞれライン５６５および５６７を介して変調器５５７および復調器５５１を介して接続される。別の実施形態では、マイクロホンおよびスピーカは、ＣＰＵとも直接に通信しており、音声通信またはデータ通信を提供する。
【００４７】
マイクロホン５６４から伝送されるユーザ端末装置の音声信号５６５は、変調器５５７に入力される。送信されるべきトラフィック・データおよび制御データ５５８が、ユーザ端末装置のＣＰＵ５６８によって供給される。制御データ５５８は、登録中、セッション開始中、セッション終了中、およびセッション中またはストリーム中に基地局に送信される。
【００４８】
代替の実施形態では、スピーカ５６６およびマイクロホン５６４は、データが外部データ処理デバイス（例えば、コンピュータ）に伝送される、または外部データ処理デバイスから伝送させることができる当技術分野で周知のデジタル・インターフェースによって置き換えられるか、または強化される。一実施形態では、ユーザ端末装置のＣＰＵは、外部コンピュータに対するＰＣＭＣＩＡインターフェースなどの標準のデジタル・インターフェースに結合され、ディスプレイ、キーボード、マイクロホン、およびスピーカは、その外部コンピュータの一部である。ユーザ端末装置のＣＰＵ５６８は、デジタル・インターフェースおよび外部コンピュータのコントローラを介してこれらの構成要素と通信する。データだけの通信の場合、マイクロホンおよびスピーカを削除することができる。音声だけの通信の場合、キーボードおよびディスプレイを削除することができる。
【００４９】
図７は、本発明の一実施形態によるスマート・アンテナ技術およびセッション計時−更新機構を使用した基地局を示すブロック図である。図示するとおり、基地局の一部であることが可能なシステム２０は、一実施形態では、アンテナ・アレイ２２を含み、アンテナ・アレイ２２は、いくつかのアンテナ素子を含む。アンテナ・アレイ２２は、遠隔ユーザ端末装置にダウンリンク信号を送信するため、および遠隔ユーザ端末装置からアップリンク信号を受信するために利用される。もちろん、システム２０は、いくつかの遠隔ユーザ端末装置と通信することができ、このため、遠隔ユーザ端末装置または他の信号源にそれぞれが関連するいくつかの信号を処理することができる。さらに、所与の地理的領域内の遠隔ユーザ端末装置と通信するために所与の１組のチャネルを各基地局が使用するようになっている無線通信網においてシステム２０を使用することが可能である。そのような遠隔ユーザ端末装置は、静止、またはモバイルであることが可能であり、ＰＰＰ、ＴＣ／ＩＰ、および／またはその他のデータ・プロトコルまたは音声プロトコルを使用してシステム２０と音声および／またはデータを通信することができる。一実施形態では、それぞれのそのような遠隔ユーザ端末装置が、イーサネット（登録商標）接続、またはＰＰＰオーバ・イーサネット（ＰＰＰｏＥ）接続を使用して外部データ処理デバイス（例えば、ラップトップ・コンピュータ、ＰＤＡ、ゲーム・デバイス、またはその他のコンピューティング・デバイス）に結合されて、そのようなデバイスが、ユーザ端末装置とシステム２０の間で確立された無線通信リンクに対してシステム２０とデータを交換することができる。
【００５０】
図７に示すとおり、アンテナ・アレイ２２の各アンテナ素子は、電力増幅器（ＰＡ）および低雑音増幅器（ＬＮＡ）２４に結合される。各アンテナ素子のＰＡ／ＬＮＡ２４は、受信（アップリンク）信号および／または送信（ダウンリンク）信号を増幅する。図示するとおり、各ＰＡ／ＬＮＡ２４は、ダウン・コンバータ２６およびアップコンバータ２８に結合される。ダウン・コンバータ２６は、搬送周波数上でアンテナ・アレイ２２によって受信された「生の」信号を受信（Ｒｘ）ベースバンド信号に変換し、受信（Ｒｘ）ベースバンド信号は、ベースバンド・プロセッサ（モデム・ボードとも呼ばれる）３０に提供される。アップコンバータ２８は、逆に、ベースバンド・プロセッサ３０によって提供された送信（Ｔｘ）ベースバンド信号を搬送周波数送信信号に変換し、その搬送周波数送信信号が、送信されるべく（例えば、遠隔ユーザ端末装置に）ＰＡ／ＬＮＡ２４に提供される。図示していないが、アナログ−デジタル変換（ＡＤＣ）回路およびデジタル−アナログ（ＤＡＣ）回路をそれぞれ、ダウン・コンバータ２６とベースバンド・プロセッサ３０の間に、またアップコンバータ２８とベースバンド・プロセッサ３０の間に結合することができる。
【００５１】
ベースバンド・プロセッサ３０は、通常、受信（アップリンク）信号および送信（ダウンリンク）信号の処理を円滑にするハードウェア（例えば、回路）および／またはソフトウェア（例えば、データ記憶媒体／デバイス上に記憶されたマシン実行可能コード／命令）を含む。図７に示す本発明の実施形態によれば、ベースバンド・プロセッサ３０は、受信信号をアナログ形態またはデジタル形態でろ波する少なくとも１つの狭帯域フィルタ３６を含む。狭帯域フィルタ３６からのろ波された信号は、空間プロセッサ３８に提供される。
【００５２】
空間プロセッサ３８は、通常、空間処理、または空間−時間処理を円滑にする少なくとも１つの汎用プロセッサおよび／またはデジタル信号プロセッサ（ＤＳＰ）を含む。一実施形態では、空間プロセッサ３８は、１つまたは複数のアップリンク信号の空間特性、または空間−時間特性（「空間シグニチャ（ｓｐａｔｉａｌ  ｓｉｇｎａｔｕｒｅ）」としても知られる）に基づき、空間的に選択的な仕方で１つまたは複数の遠隔ユーザ端末装置の間で信号を送受信することができる。したがって、空間チャネルおよびＳＤＭＡが利用される一実施形態では、２つまたはそれより多くの遠隔ユーザ端末装置が、同一のチャネル（例えば、搬送周波数および／またはタイムスロットおよび／または符号）上で同時に受信および／または送信を行うことができるが、ユーザ端末装置の固有の空間特性、または空間−時間特性に基づいてシステム２０によって区別することができる。ただし、本発明の代替の実施形態では、空間チャネルを使用しなくてもよい。空間特性の一例は、着信方向（ＤＯＡ）または着信角（ＡＯＡ）である。適応アレイの技術分野で周知の他のタイプの空間特性を本発明と併せて使用することも可能である。
【００５３】
一般に、アンテナ・アレイ２２は、システム２０と所望の遠隔ユーザ端末装置、および／または１つまたは複数の他のデバイス（例えば、複数の遠隔ユーザ端末装置、無線通信網における他の基地局、サテライト通信網等）の間における信号の転送を円滑にする。例えば、アンテナ・アレイは、ダウンリンク信号を所望の遠隔ユーザ端末装置に送信し、その遠隔ユーザ端末装置からアップリンク信号を受信することができる。そのような送信および受信は、同一の周波数チャネルで、ただし、異なる時刻に行われること（例えば、ＴＤＤシステムにおいて）、または異なる周波数で行われること（例えば、ＦＤＤシステム）において、が可能である。プロセッサ３８は、本明細書で主要な遠隔ユーザ端末装置とも呼ぶ所望の遠隔ユーザ端末装置からのアップリンク信号の空間特性、および１つまたは複数の主要でない遠隔ユーザ端末装置の空間特性を特定する。そのような特性に基づき、システム２０は、所望の遠隔ユーザ端末装置の場所において送信利得を高める一方で、主要でない遠隔ユーザ端末装置の場所において送信利得を比較的最小限に抑える（すなわち、「ゼロの」領域、つまり干渉が緩和された領域を提供する）ダウンリンク・ビーム形成戦略を決める。同様に、システム２０は、空間特性に基づき、主要な遠隔ユーザ端末装置の場所からの受信利得を高める一方で、１つまたは複数の主要でない遠隔ユーザ端末装置の場所からの受信利得を最小限に抑えるようにアップリンク・ビーム形成を行うことができる。
【００５４】
本発明の一実施形態では、システム２０は、システム２０と通信する２つまたはそれより多くの遠隔ユーザ端末装置が、同一の従来の周波数チャネルおよび／または時間チャネルを同時に使用することができるように空間チャネルをサポートする。ただし、代替の実施形態では、空間チャネルはサポートされない、または利用されないこと、あるいは１つまたは複数の条件が満たされた場合にだけ利用されることが可能である。
【００５５】
図７に示すとおり、空間プロセッサ３８は、復調器−誤り制御ユニット４０にさらに結合され、ユニット４０は、空間プロセッサ３８から「抽出された」または「所望される」信号、または１組の信号を受け取り、その抽出された信号をネットワーク・プロセッサ３２に出力する。ユニット４０は、アップリンク情報をデジタル・データの形態でネットワーク・プロセッサ３２に出力する前に、誤り訂正を行い、パケット・オーバーヘッドを提供し、かつ／またはその他の処理を行うことができる。
【００５６】
システム２０の一部を構成することも、構成しないことも可能なネットワーク・プロセッサ３２は、システム２０と外部ネットワーク３４の間における情報の転送を円滑にし、外部ネットワーク３４は、例えば、インターネットを表わすことが可能であり、その場合、システム２０は、インターネット・サービス・プロバイダ（ＩＳＰ）に結合される（無線リンクおよび／または有線リンクを介して）ことが可能である。そのような情報は、音声および／またはデータを含むことが可能であり、パケット交換式で、または回線交換式で転送されることが可能である。例えば、一実施形態では、遠隔ユーザ端末装置には、セルラー電話機、双方向ページャ、無線通信能力を有するＰＤＡ、ならびにラップトップ・コンピュータ、ＰＤＡ、ゲーム・デバイス、または他のコンピューティング・デバイス、または遠隔ユーザ端末装置と、この例では、公衆交換電話網（ＰＳＴＮ）、インターネット、および／またはその他の音声ネットワークおよび／またはデータ網を含むことが可能なネットワーク３４の間における音声信号および／またはデータ信号の経路指定を円滑にするその他の通信デバイスなどのデータ処理デバイスとインターフェースをとることが可能な無線モデムが含まれることが可能である。したがって、遠隔ユーザ端末装置は、コンピューティング・デバイス（例えば、可搬デジタル・アシスタント、ラップトップ／ノートブック・コンピュータ、コンピューティング・セルラー電話ハンドセット等）をＷｅｂブラウザとともに含むか、またはそれらとインターフェースをとる可能性があり、その場合、ネットワーク３４は、インターネットを表わすことが可能であり、ネットワーク・インターフェース・プロセッサが、遠隔ユーザ端末装置（システム２０を介する）と、インターネットに結合された１つまたは複数のサーバ、または他のデータ処理システムの間の通信を円滑にすることが可能である。このため、音声および／またはデータ（例えば、ビデオ、オーディオ、グラフィックス、テキスト等）が、システム２０（およびシステム２０と通信する１つまたはいくつかの遠隔ユーザ端末装置）と外部ネットワーク３４の間で転送されることが可能である。
【００５７】
図５〜７に示す構造はそれぞれ、本発明の一実施形態によれば、セッション寿命を監視し、セッションの失効を示す計時機構（例えば、ソフトウェアおよび／またはハードウェアで実装される）タイマ／カウンタを含むことが可能である。
【００５８】
本発明は、様々なステップを含む。本発明のステップは、図５〜７に示すようなハードウェア構成要素によって行われること、あるいは命令がプログラミングされた汎用または特殊目的のプロセッサまたは論理回路がそのステップを行うようにさせるのに使用することができるマシン実行可能命令として実現することが可能である。別法として、ステップは、ハードウェアとソフトウェアの組合せによって実施することができる。
【００５９】
本発明は、本発明に従ってプロセスを行うようにコンピュータ（または他の電子デバイス）をプログラミングするのに使用することができる命令を記憶しているマシン可読媒体を含むことが可能なコンピュータ・プログラム製品として提供されることが可能である。マシン可読媒体には、フロッピー（登録商標）・ディスク、光ディスク、ＣＤ−ＲＯＭ、および光磁気ディスク、ＲＯＭ、ＲＡＭ、ＥＰＲＯＭ、ＥＥＰＲＯＭ、磁気カードまたは光カード、フラッシュ・メモリ、あるいは電子命令を記憶するのに適した他のタイプの媒体またはマシン可読媒体が含まれる可能性があるが、以上には限定されない。さらに、本発明は、プログラムが、通信リンク（例えば、モデム接続またはネットワーク接続）を介する搬送波またはその他の伝播媒体として実現されたデータ信号によって遠隔コンピュータから要求側コンピュータに転送されることが可能なコンピュータ・プログラム製品としてダウンロードすることも可能である。
【００６０】
重要なこととして、本発明は、可搬ハンドセットまたはその他のユーザ端末デバイス（例えば、様々な可搬データ処理デバイスとインターフェースをとることが可能な無線モデム）のための無線インターネット・データ・システムの文脈で説明してきたが、データが交換される多種多様な異なる無線システムに適用することが可能である。そのようなシステムには、外部接続のない音声タイプ、ビデオ・タイプ、音楽タイプ、ブロードキャスト・タイプ、およびその他のタイプのデータ・システムが含まれる。本発明は、固定ユーザ端末装置にも、低い移動性の端末装置および高い移動性の端末装置にも適用することができる。方法の多くは、本明細書では、基本的な形態で説明しているが、本発明の基本的な範囲を逸脱することなく、方法のいずれにもステップを追加すること、または方法のいずれからもステップを削除することが可能であり、説明したメッセージのいずれにも情報を追加すること、または情報を除去することが可能である。多くのさらなる変更または適合を行うことができることが、当分野の技術者には明白であろう。特定の実施形態は、本発明を制限するために提供しているのではなく、例示するために提供している。本発明の範囲は、以上に提供した特定の例によって決められるべきものではなく、頭記の特許請求の範囲によって決められるべきものである。
【００６１】
本発明をいくつかの実施形態に関連して説明してきたが、頭記の特許請求の範囲によって理解されるべき本発明の趣旨および範囲を逸脱することなく、様々な代替形態および変更形態が可能であることが認められよう。
【図面の簡単な説明】
【００６２】
【図１】本発明の一実施形態による無線システムを示すブロック図である。
【図２】本発明の一実施形態によるセッション更新を利用する無線通信におけるリソース管理を提供するための方法を示す流れ図である。
【図３】本発明の代替の実施形態によるセッション更新を利用する無線通信におけるリソース管理を提供するための方法を示す流れ図である。
【図４】本発明の一実施形態による動的なセッション更新を利用する無線通信システムにおけるリソース管理のための方法およびシステムを示す図である。
【図５】一実施形態による本発明を実施するのに適切な無線通信システムまたは無線通信網の基地局の例を示す図である。
【図６】本発明の一実施形態によるデータ通信または音声通信を提供するユーザ端末装置における例示的な構成要素の構成を描いた図である。
【図７】本発明の一実施形態によるスマート・アンテナ技術およびセッション計時および更新機構を使用する基地局を示すブロック図である。
【図１】
2004524756.tif 000003
【図２】
2004524756.tif 000004
【図３】
2004524756.tif 000005
【図４】
2004524756.tif 000006
【図５】
2004524756.tif 000007
【図６】
2004524756.tif 000008
【図７】
2004524756.tif 000009
【国際公開パンフレット】
2004524756.tif 000010
2004524756.tif 000011
2004524756.tif 000012
2004524756.tif 000013
2004524756.tif 000014
2004524756.tif 000015
2004524756.tif 000016
2004524756.tif 000017
2004524756.tif 000018
2004524756.tif 000019
2004524756.tif 000020
2004524756.tif 000021
2004524756.tif 000022
2004524756.tif 000023
2004524756.tif 000024
2004524756.tif 000025
2004524756.tif 000026
2004524756.tif 000027
2004524756.tif 000028
2004524756.tif 000029
2004524756.tif 000030
2004524756.tif 000031
2004524756.tif 000032
2004524756.tif 000033
2004524756.tif 000034
2004524756.tif 000035
2004524756.tif 000036
2004524756.tif 000037
2004524756.tif 000038
2004524756.tif 000039
2004524756.tif 000040
2004524756.tif 000041
2004524756.tif 000042
2004524756.tif 000043
2004524756.tif 000044
2004524756.tif 000045
2004524756.tif 000046
2004524756.tif 000047
2004524756.tif 000048
【国際調査報告】
2004524756.tif 000049